(57)【特許請求の範囲】
【請求項１】
爪孔１２を有する上翼板５と下翼板６とを案内柱７で連結してエレメントガイド溝１３を形成した胴体１と、上翼板５上に載置され一端に停止爪２５を屈設した板状スプリング２と、一端に摘み部３８、他端にカム３９を有する枢軸３７を上翼板５と板状スプリング２との間に配する引手３とから形成した停止装置付スライダーにおいて、上翼板５上に枢支した引手３を胴体１の前方へ倒伏し加圧したとき、案内柱７上に露呈する板状スプリング２と摘み部３８との対向間に空隙を有することを特徴とする停止装置付スライドファスナー用スライダー。
【請求項２】
板状スプリング２は、案内柱７上に露呈する部分は、停止爪２５と同一方向へ屈曲したスプリング片３０の撓曲部３１が案内柱７上に配されてなる請求項１記載の停止装置付スライドファスナー用スライダー。
【請求項３】
撓曲部３１と案内柱７との間に空隙を設け、板状スプリング２が弾性変形可能に形成してなる請求項２記載の停止装置付スライドファスナー用スライダー。
【請求項４】
引手３は、枢軸３７側が拡大する凸字状の透孔４０を穿設し、引手３を前倒し加圧したとき、透孔４０の凹部４１は板状スプリング２を回避し、張り出した張出部４２は胴体１上面に設けたスプリング受片９に当接可能に形成してなる請求項１記載の停止装置付スライドファスナー用スライダー。
【請求項５】
引手３は、摘み部３８側が円弧状を呈する透孔４０を穿設し、引手３を前倒し加圧したとき、透孔４０の円弧状の口縁が板状スプリング２を回避してなる請求項１記載の停止装置付スライドファスナー用スライダー。
【請求項６】
板状スプリング２は、停止爪２５の上側に胴体１上面に斜設したガイド片１０を嵌合する引掛孔２８を設け、引手３を前倒し加圧したとき、引掛孔２８がガイド片１０の先端に屈設した係止部１１によって停止爪２５の上昇を規制可能に形成してなる請求項１記載の停止装置付スライドファスナー用スライダー。
【発明の詳細な説明】
【０００１】
【発明の属する技術分野】
この発明は、スライドファスナーに使用する停止機構を備えたスライダーであって、停止爪を有する板状スプリングを引手の起倒操作によって、停止爪をファスナーエレメント列に係合させて停止機能を働かせる停止装置付スライドファスナー用スライダーに関するものである。
【０００２】
【従来の技術】
従来、スライドファスナーは各種の衣服の開口部に取り付けられ、スライダーの摺動操作によりファスナーエレメント列を噛合または分離させて開口部の開閉を行っている。そしてファスナーエレメント列がみだりに分離しないように停止装置を装備したスライダーを用いることが知られている。
【０００３】
停止装置付スライドファスナー用スライダーとして、たとえば図１１に示すものが知られている。同スライダーは、平行に配置した上翼板と下翼板との一端を案内柱で連結して、両翼板の間にエレメントガイド溝を形成した胴体と、上翼板の上面に載置され、一端に上翼板に形成した爪孔よりエレメントガイド溝内へ突入する停止爪を設け、他端に案内柱の前面に形成した収容溝内に固定されるスプリング片を設けた板状スプリングと、一端に指で摘むことができる摘み部を設け、他端に胴体と板状スプリングの間に配置され、カムを有する枢軸を設けた引手とから構成される。引手の枢軸には板状スプリングの弾性力が常に加わって、引手が倒伏する状態を保持しており、引手を起立させて枢軸を回動することにより、枢軸が板状スプリングを弾性変形させながら押し上げ、停止爪はエレメントガイド溝内より退去する。
【０００４】
上記停止装置付スライドファスナー用スライダーは、特にジーンズ製のズボンやスカート等の衣類に縫製されるスライドファスナーに装備されている。
ジーンズの布地は硬質で、その布地で製造した衣類はそのままでは使用者の着用感が悪いため、衣類に機械的な衝撃を与えて柔軟性や風合い等の改善を施している。たとえば、上記スライドファスナーを縫製した衣類と一緒に適宜な大きさの石を回転ドラムに投入し、ドラムを回転して石を衣類に打ち込んだり、あるいは回転ドラムの内周に多数の突起を設け、衣類を水と共に回転ドラムに投入し、ドラムを回転して衣類を突起に打ち込んだりするストーンウオッシュと称される作業を行っている。
【０００５】
上記スライドファスナーをズボンやスカート等の衣類へ縫製した後は、図１１に示すように、引手が胴体の前端側へ倒伏し、引手の大部分が胴体の前端側より突き出た状態となっていることが多い。この状態で上述した機械的な衝撃を受けると、引手に水平方向すなわち引手を枢軸側へ押圧する方向、または垂直方向すなわち引手の摘み部を押し下げる方向へ荷重が加わり、引手の枢軸が停止爪を上昇させると同時に、引手の摘み部が板状スプリングの撓曲部へ接触して過度に加圧するため、板状スプリングの塑性変形が起生し、図１２に示すように、引手を胴体の後端側へ倒して停止機能を作動させようとしても停止爪がエレメントガイド溝より退却したままとなり、停止機能が働かなくなる問題点がある。この問題は上述のストーンウオッシュを行った場合に限らず、一般家庭において引手を胴体の前端側に倒伏させた状態で洗濯した場合にも起こり得る。
【０００６】
【発明が解決しようとする課題】
この発明は、上述の問題点を考慮し、板状スプリングに塑性変形を惹起しないように改良を加えたものであり、スライドファスナーにおける停止装置付スライダーにおいて、引手を胴体の前端側へ倒伏させて引手に水平方向または垂直方向へ荷重が加わっても、板状スプリングに塑性変形を惹起することなく、特にジーンズ用のスライダーとして一般家庭でジーンズを洗濯し、たとえ乱暴に扱ってもスライダーに損傷を与えることなく、長期にわたって的確に停止機能が発揮でき、構造が簡単で優れた機能を所持する停止装置付スライドファスナー用スライダーを提供することが主たる目的である。
【０００７】
請求項２、および３記載の発明は、それぞれ請求項１記載の発明の目的に加え、特に板状スプリングが停止爪と同方向へ屈曲した撓曲部を有する停止機構を備えた停止装置付スライダーにおいて、引手を胴体の前端側へ倒伏したとき、引手に水平方向または垂直方向へ荷重が加えられても、板状スプリングの撓曲部に塑性変形を惹起することなく的確に停止機能が発揮でき、さらに荷重が加えられたとき撓曲部が十分に弾性変形が起生し得る形態に形成し、長期にわたって停止装置に損傷を与えない停止装置付スライドファスナー用スライダーを提供することが目的である。
【０００８】
請求項４および５記載の発明は、それぞれ請求項１記載の発明の目的に加え、停止装置付スライダーにおいて、停止爪を備えた板状スプリングを塑性変形から防護するために、それに適した引手の形態を特定し、優れた停止機能が長期にわたって発揮できる停止装置付スライドファスナー用スライダーを提供することが目的である。
【０００９】
請求項６記載の発明は、請求項１記載の発明の目的に加え、引手を胴体の前端側へ倒伏して加圧することによって生ずる停止爪を備えた板状スプリングの上昇作動の範囲を限定し規制することにより、的確に板状スプリングの塑性変形を防ぐことができる停止装置付スライドファスナー用スライダーを提供することが目的である。
【００１０】
【課題を解決するための手段】
前記の目的を達成するため、この発明のうち請求項１記載の発明は、停止爪用の爪孔１２を有する上翼板５と下翼板６とを平行状に案内柱７で連結してエレメントガイド溝１３を形成した胴体１と、上翼板５の上面に戴置され一端に停止爪２５を屈曲状に設けた板状スプリング２と、一端に摘み部３８、他端にカム３９を有する枢軸３７を上翼板５と板状スプリング２との間に配する引手３とから組立て形成した停止装置付スライダーにおいて、上翼板５の上面に枢支した引手３を胴体１の前端側へ倒伏し水平方向または垂直方向へ荷重が加わったとき、案内柱７の上面に露呈する板状スプリング２と引手３の摘み部３８との対向する面間に空隙が形成されるように形成した停止装置付スライドファスナー用スライダーを主な構成とするものである。
【００１１】
請求項２記載の発明は、請求項１記載の発明の構成に加え、板状スプリング２は、案内柱７の上面に露呈する部分は、停止爪２５と同一方向へ屈曲したスプリング片３０の撓曲部３１が案内柱７の上面に配された停止装置付スライドファスナー用スライダーである。
【００１２】
請求項３記載の発明は、請求項２記載の発明の構成に加え、板状スプリング２の撓曲部３１と、案内柱７との間に空隙を設け、板状スプリング２の撓曲部３１が弾性変形ができるように形成した停止装置付スライドファスナー用スライダーである。
【００１３】
請求項４記載の発明は、引手３は、上翼板５の上面に枢支する枢軸３７側が拡大する凸字状の透孔４０を引手３に穿設し、引手３を胴体１の前端側へ倒伏し、水平方向または垂直方向へ荷重が加わったとき、透孔４０の凹部４１が板状スプリング２の撓曲部３１を回避し、また引手３の張り出した張出部４２は胴体１上面に設けたスプリング受片９に当接できるように形成した停止装置付スライドファスナー用スライダーである。
【００１４】
請求項５記載の発明は、請求項１記載の発明の構成に加え、引手３は、上翼板５の上面に枢支する枢軸３７から摘み部３８にかけて透孔４０を設け、この透孔４０は摘み部３８側が円弧状を呈するように形成し、引手３を胴体１の前端側へ倒伏し水平方向または垂直方向へ荷重が加わったとき、透孔４０の円弧状の口縁が板状スプリング２の撓曲部３１を回避できるように形成した停止装置付スライドファスナー用スライダーである。
【００１５】
請求項６記載の発明は、請求項１記載の発明の構成に加え、板状スプリング２は、停止爪２５の上側に胴体１上面に斜設したガイド片１０を嵌合することができる引掛孔２８を設け、引手３を胴体１の前端側へ倒伏し水平方向または垂直方向へ荷重が加わったとき、板状スプリング２の引掛孔２８がガイド片１０の先端に屈設した係止部１１によって、停止爪２５の上昇を規制できるように形成した停止装置付スライドファスナー用スライダーである。
【００１６】
【発明の実施の形態】
以下、この発明の停止装置付スライドファスナー用スライダーの実施の形態について、図面を参照しながら具体的に説明する。
【００１７】
この発明の停止装置付スライドファスナー用スライダーは、図１〜４に示すように、停止機構を備えた通常タイプのスライダーであり、特にジーンズ用として用いる頑丈なスライダーである。スライダーは胴体１、板状スプリング２、引手３の三部材から構成され、これらの部材は銅−亜鉛合金などの金属をプレス加工手段によって製造する。
【００１８】
スライダーの胴体１は、上翼板５、下翼板６および上下翼板５、６を連結する案内柱７から形成され、上翼板５の肩口すなわち前端寄りに左右一対のフック状に突出するスプリング受片９を設けて板状スプリング２の突出部２９を支持する。上翼板５の後口すなわち後端寄りに傾斜するガイド片１０を突設して引手３の枢軸３７をガイドし、ガイド片１０の先端を後口に向けて屈曲して係止部１１を設け、板状スプリング２に設けた引掛孔２８と係止する。またガイド片１０の後方基部に爪孔１２を穿設して停止爪２５を挿入してエレメントガイド溝１３に出没自在に形成し、さらに案内柱７の前面に断面Ｖ字状またはＵ字状の収納溝１４を設けて板状スプリング２におけるスプリング片３０の垂下部２６を収納できるように形成する。
【００１９】
板状スプリング２は、略倒コ字状を呈し一端に停止爪２５、他端に細幅状の垂下部２６を形成し、中間に広幅の基板２７を設け、基板２７は上方へ凸出状に形成して引手３のカム３９付の枢軸３７を収容できるように形成する。基板２７から停止爪２５にかけては、なだらかに屈曲され、その間に上翼板５に形成したガイド片１０の係止部１１を遊嵌できる引掛孔２８を設ける。基板２７の前端は水平状に形成するとともに、両側を切り欠いて突出部２９を形成し、この突出部２９は上翼板５に突設したスプリング受片９と係合できるように形成する。基板２７に設けた左右の突出部２９の間から前方へ細幅のスプリング片３０を延設し、スプリング片３０の中間を屈曲して撓曲部３１を設け、この撓曲部３１の先に垂下部２６を形成して胴体１の案内柱７に設けた収納溝１４に狭着する。なおスプリング片３０の中央に凹溝３２を設けて弾性の強化を図る。
【００２０】
引手３は、略長方形を呈する板体から形成し、一端に枢軸３７、枢軸３７と間隔を空けて他端に摘み部３８を設け、枢軸３７の下側にはカム３９を一体に形成して下側へ凸出させ、引手３を胴体１に装着して、肩口側すなわち前端側へ倒伏したとき、板状スプリング２の基板２７を持ち上げて停止爪２５をエレメントガイド溝１３から浮上させる。そして枢軸３７と摘み部３８の間に枢軸３７側が拡大する凸字状の透孔４０を設け、透孔４０の中央に形成された凹部４１は、引手３を胴体１の前端側へ倒伏したとき、胴体１の案内柱７の上面に載置される板状スプリング２の撓曲部３１を回避できるように形成する。また引手３を胴体１の前端側へ倒伏し、引手３に水平方向または垂直方向に荷重が加わったときでも、凹部４１は板状スプリング２の撓曲部３１と接触せず、摘み部３８と撓曲部３１との対向間に空隙が生ずるように形成する。また引手３に荷重が加わったとき、凹部４１の両側に張り出した張出部４２が、上翼板５の上面に突設したスプリング受片９の基部に当接できるように形成し、引手３に加わる荷重をこの部分で受け止めるように形成する。
【００２１】
次に停止機構を備えたスライダーの組立てについて説明すると、胴体１の上翼板５の上面に突設したスプリング受片９とガイド片１０の間に引手３のカム３９付き枢軸３７を載置し、その際引手３のカム３９が下側に位置し、胴体１の後口すなわち後端側へ倒伏した状態で載置し、その上面へ板状スプリング２を配装するが、板状スプリング２の基板２７が枢軸３７を被覆する形で、突出部２９がスプリング受片９の下方に配されるとともに、板状スプリング２の引掛孔２８がガイド片１０先端の係止部１１に挿入し、スプリング片３０の垂下部２６を胴体１の案内柱７の前面に形成した収納溝１４に嵌入し固定する。また収納溝１４の両側をかしめ固定してもよく、さらに垂下部２６の先端に両側へ突出する突部を設けて収納溝１４の両側に刻設した凹部に嵌合させてもよい。案内柱７に固定した板状スプリング２は、停止爪２５は常時胴体１のエレメントガイド溝１３に突出し、引手３の操作によってエレメントガイド溝１３に対し出没自在に形成する。
【００２２】
組立てられた停止機構を備えたスライダーは、ファスナーチェンに装備し、引手３を、前倒して引っ張ればファスナーチェンは閉鎖され、また後倒して引っ張ればファスナーチェンは開口する。この発明のスライダーの特徴は、引手３が胴体１の後端側に倒伏する状態ではなく、図４に示すように、引手３が前端側に倒伏する状態で、引手３に水平方向または垂直方向に荷重が加わると引手３の枢軸３７がガイド片１０に向けて上方へ移動し板状スプリング２を上方へ押し上げようとするが、引手３の張出部４２がスプリング受片９の基部に当接し、それ以上引手３を移動させることができない。しかも引手３の摘み部３８と凹部４１内に位置する板状スプリング２の撓曲部３１との間には常時にわたって空隙があるため撓曲部３１に従来のように塑性変形が起生することがない。さらにスプリング片３０の撓曲部３１と案内柱７の上端との間に空隙を設け、撓曲部３１がゆとりのある弾性変形ができるように形成することもできる。
【００２３】
次に図５〜８に示す停止装置付スライダーは、前述のスライダーと引手３の形態が異なる以外は、胴体１と板状スプリング２は同一形態であり、引手３は、一端に下側へ偏倚したカム３９を一体に形成した枢軸３７を設け、他端に摘み部３８を形成し、枢軸３７と摘み部３８の間に摘み部３８側が円弧状を呈する透孔４０を設け、引手３を胴体１に配置して、前端側へ倒伏したとき、案内柱７の上面に載置される板状スプリング２におけるスプリング片３０の撓曲部３１を回避できる形に形成して、摘み部３８と撓曲部３１との対向間に空隙が存在するように形成する。
【００２４】
スライダーの組立ては、前記実施例のスライダーと同様に行う。上翼板５の上面に設けたスプリング受片９とガイド片１０の間に引手３のカム３９が下側に位置し、引手３が後端側へ倒伏した状態で載置し、その上面へ板状スプリング２を配装するが、板状スプリング２の基板２７が枢軸３７を被覆するように突出部２９をスプリング受片９の下方に配し、板状スプリング２の引掛孔２８をガイド片１０の係止部１１に挿入すると同時にスプリング片３０の垂下部２６を案内柱７の前面に形成した収納溝１４に嵌入し固定して組立てる。
【００２５】
組立てられたスライダーは、胴体１の前端側へ引手３を倒伏したとき、図６、７に示すように引手３の摘み部３８の円弧状口縁と板状スプリング２におけるスプリング片３０の撓曲部３１との間に空隙が存在する。この状態で倒伏された引手３に図８に示すように引手３に水平方向または垂直方向に荷重が加わったとき、引手３は枢軸３７がガイド片１０を滑動して板状スプリング２の基板２７を押し上げるが、板状スプリング２の引掛孔２８がガイド片１０の係止部１１に当接し、停止爪２５のそれ以上の上昇作動を阻止する。停止爪２５が上昇限界位置にある時、引手３の摘み部３８と板状スプリング２の撓曲部３１との間には空隙が存在し、摘み部３８が撓曲部３１と接触して加圧することなく、撓曲部３１の塑性変形を確実に防ぎ、引手３への荷重が解除された後においては、板状スプリング２は元の形態に速やかに弾性復帰し、長期にわたって有効な弾性変形ができるように形成する。
【００２６】
図９、１０に示す停止装置付スライダーは、胴体１の上翼板５における肩口すなわち前端側の中央にフック状に突出する突片１７を設け、この突片１７の先端中央に水平に突出する係合突起１８を設けて、板状スプリング２の係止舌片３３に設けた孔部３４を嵌入する。また係合突起１８の両側に配される突片１７の先端に板状スプリング２の係止舌片３３が当接できる当接部１９が形成され、この当接部１９は上翼板５の上面に対して垂直面に形成する。突片１７の基部にはエレメントガイド溝１３に通じる透孔２０を設け、突片１７の基部両側には前傾した板状スプリング２を載置するための支持台２１が突設されている。
【００２７】
上翼板５の後口すなわち後端側の中央には、後方へ傾倒するガイド片１０を突設し、ガイド片１０の先端を屈曲して係止部１１を形成して板状スプリング２の引掛孔２８を遊嵌し、ガイド片１０の基部にエレメントガイド溝１３へ通ずる爪孔１２を設ける。また案内柱７の前面には板状スプリング２におけるスプリング片３０の垂下部２６を収納できる収納溝１４を設け、収納溝１４の両側には下部が水平で上部が傾斜する略直角三角形状の掛止部２２を設け、板状スプリング２におけるスプリング片３０の垂下部２６の先端に設けた両側へ突出する突部３５と係合できるように形成する。
【００２８】
板状スプリング２は、略倒コ字状を呈し一端に停止爪２５、他端に細幅状の垂下部２６を設け、垂下部２６の先端に両側へ突出する突部３５を設け、案内柱７に設けた掛止部２２と係合する。板状スプリング２の中央基板２７に開口部３６を設け、この開口部３６の口縁から前方へ向け、かつ下方へ曲折して延出した係止舌片３３を設け、係止舌片３３の中央に突片１７の係合突起１８が遊嵌できる孔部３４を設け、また停止爪２５に近傍する板状スプリング２に後方のガイド片１０の係止部１１が遊嵌できる引掛孔２８を設け、停止爪２５の浮上するのを規制する。
【００２９】
引手３は、一端に枢軸３７、他端に摘み部３８を設け、枢軸３７と摘み部３８の間に摘み部３８側が円弧状を呈する透孔４０を設け、引手３を胴体１に配設し前端側へ倒伏したとき、案内柱７の上面に載置する板状スプリング２におけるスプリング片３０の撓曲部３１を回避できる形に形成し、スプリング片３０の作動を妨害しないように摘み部３８と撓曲部３１との対向間に空隙が常時生ずるように形成する。
【００３０】
スライダーの組立ては、前記各実施例のスライダーと同様に、上翼板５の上面に設けたスプリング受片９とガイド片１０の間に引手３のカム３９が下側に位置し、引手３が後端側へ倒伏した状態で載置し、その上面へ板状スプリング２を配装するが、図１０に示すように上翼板５の爪孔１２に停止爪２５を挿入するとともに、引掛孔２８にガイド片１０を遊嵌させて、引掛孔２８の口縁をガイド片１０の係止部１１に係止できるように配装する。
【００３１】
また、板状スプリング２の基板２７の前方に設けた開口部３６に突片１７を嵌挿させるとともに、係止舌片３３を突片１７の下方に設けた透孔２０に挿入し、突片１７の先端中央に存在する係合突起１８と、係止舌片３３の孔部３４とが嵌入できるように配装し、係止舌片３３の表面が突片１７に設けた当接部１９に圧接されるように板状スプリング２の側縁が上翼板５上に設けた支持台２１上に載置される。
【００３２】
さらに板状スプリング２の先端に設けたスプリング片３０の垂下部２６における先端両側に設けた突部３５を、案内柱７に設けた収納溝１４の両側の斜面に沿って押し下げ、突部３５を掛止部２２に係合させて固定し、スライダーを組立てる。なお装着された板状スプリング２におけるスプリング片３０の撓曲部３１と案内柱７の収納溝１４との間には空隙を設けてスプリング片３０の弾性変形が容易にできるように形成する。
【００３３】
したがって組立てられたスライダーにおいて、引手３を胴体１の前端側へ倒伏した状態で、引手３に水平方向または垂直方向に荷重が加わったとき、引手３は枢軸３７がガイド片１０を滑動して板状スプリング２の基板２７を押し上げ、停止爪２５をエレメントガイド溝１３から浮上させるが、その際引手３の摘み部３８と板状スプリング２におけるスプリング片３０の撓曲部３１との対向間に空隙が存在するため、引手３がスプリング片３０を押圧することがないので、スプリング片３０に塑性変形を起生することがなく、また過度の板状スプリング２の浮上はガイド片１０の係止部１１と板状スプリング２の引掛孔２８との係止によって阻止する。
【００３４】
以上各実施例の停止装置付スライダーについて説明したが、各実施例ともに引手は偏倚したカムを一体に形成した枢軸から形成された引手を使用しているが、引手の枢軸は、引手の摘み部と同一面内に配設された引手に適用してもよい。
【００３５】
【発明の効果】
この発明の停止装置付スライドファスナー用スライダーは、以上説明したとおりの構成であり、この構成によって下記の効果を奏する。
【００３６】
この発明のうち請求項１記載の発明は、爪孔を有する上翼板と下翼板とを案内柱で連結してエレメントガイド溝を形成した胴体と、上翼板上に載置され一端に停止爪を屈設した板状スプリングと、一端に摘み部、他端にカムを有する枢軸を上翼板と板状スプリングとの間に配する引手とから形成した停止装置付スライダーにおいて、上翼板上に枢支した引手を胴体の前方へ倒伏し加圧したとき、案内柱上に露呈する板状スプリングと摘み部との対向間に空隙を有することによって、引手を胴体の前端側へ倒伏し荷重が加えられても、従来品のように露呈する板状スプリングに対し、引手による塑性変形を惹起することが皆無で、いかなる使用に対しても損傷することがなく、停止機能が有効に発揮できる効果がある。
【００３７】
請求項２記載の発明は、請求項１記載の発明の効果に加え、板状スプリングは、案内柱上に露呈する部分は、停止爪と同一方向へ屈曲したスプリング片の撓曲部が案内柱上に配されたことによって、案内柱上に露呈する部分は板状スプリングにおける撓曲部であり、撓曲部は板状スプリングで最も弾性変形が激しく行われる部分であり、この部分を保護することは長期にわたって有効に弾性変形が行える効果がある。
【００３８】
請求項３記載の発明は、請求項２記載の発明の効果に加え、撓曲部と案内柱との間に空隙を設け、板状スプリングが弾性変形可能に形成したことによって、撓曲部と案内柱との間に空隙が存在するため、撓曲部がゆとりのある弾性変形を持続できる効果がある。
【００３９】
請求項４記載の発明は、請求項１記載の発明の効果に加え、引手は、枢軸側が拡大する凸字状の透孔を穿設し、引手を前倒し加圧したとき、透孔の凹部は板状スプリングを回避し、張り出した張出部は胴体上面に設けたスプリング受片に当接可能に形成したことによって、透孔は板状スプリングの撓曲部をよく回避し、かつ引手の張出部がスプリング受片に当接し、引手に過度の荷重が加わっても板状スプリングの弾性に影響を与えることがなく保護できる効果がある。
【００４０】
請求項５記載の発明は、請求項１記載の発明の効果に加え、引手は、摘み部側が円弧状を呈する透孔を穿設し、引手を前倒し加圧したとき、透孔の円弧状の口縁が板状スプリングを回避したことによって、透孔は板状スプリングの撓曲部を回避し、かつ引手が多少左右にずれ動いても板状スプリングの撓曲部に影響を与えることがなく保護できる効果がある。
【００４１】
請求項６記載の発明は、請求項１記載の発明の効果に加え、板状スプリングは、停止爪の上側に胴体上面に斜設したガイド片を嵌合する引掛孔を設け、引手を前倒し加圧したとき、引掛孔がガイド片の先端に屈設した係止部に係止して停止爪の上昇を規制できるように形成したことによって、引手に水平方向や垂直方向の荷重が加わり、引手の枢軸が板状スプリングを停止爪の上昇限界位置まで押し上げた状態においても、引手の摘み部が撓曲部に接触して加圧することなく、長期にわたって有効な係止機能が果たせる効果があるなど、この発明が奏する効果はきわめて顕著である。
【図面の簡単な説明】
【図１】停止装置付スライドファスナー用スライダーの斜視図である。
【図２】同上スライダーにおける引手を後倒した状態を示す正面図である。
【図３】同上スライダーにおける引手を前倒した状態を示す正面図である。
【図４】同上スライダーにおける引手を前倒し荷重が加えられた状態を示す縦断面図である。
【図５】変形例の引手を備えた停止装置付スライダーにおける引手を後倒した状態を示す正面図である。
【図６】同上スライダーにおける引手を前倒した状態を示す正面図である。
【図７】同上スライダーにおける引手を前倒した状態を示す縦断面図である。
【図８】同上スライダーにおける引手を前倒し荷重が加えられた状態を示す縦断面図である。
【図９】他の実施例の停止装置付スライドファスナー用スライダーの分解斜視図である。
【図１０】同上スライダーの引手を後倒した状態を示す縦断面図である。
【図１１】従来公知の停止装置付スライダーにおいて引手を前倒した状態を示す縦断面図である。
【図１２】同上スライダーにおいてスプリングに塑性変形が起きた状態を示す縦断面図である。
【符号の説明】
１            胴体
２            板状スプリング
３            引手
５            上翼板
６            下翼板
７            案内柱
９            スプリング受片
１０            ガイド片
１２            爪孔
１３            エレメントガイド溝
２５            停止爪
２８            引掛孔
３０            スプリング片
３１            撓曲部
３７            枢軸
３８            摘み部
３９            カム
４０            透孔
４１            凹部
４２            張出部
【図１】
0003714534.tif 000002
【図２】
0003714534.tif 000003
【図３】
0003714534.tif 000004
【図４】
0003714534.tif 000005
【図５】
0003714534.tif 000006
【図６】
0003714534.tif 000007
【図７】
0003714534.tif 000008
【図８】
0003714534.tif 000009
【図９】
0003714534.tif 000010
【図１０】
0003714534.tif 000011
【図１１】
0003714534.tif 000012
【図１２】
0003714534.tif 000013